Podtech/llm-jp-corpus-v4-ja_patent huggingface dataset:
(57)【要約】      （修正有）【課題】嵩比重の異なる粉体について均一な粒度分布を有する造粒物を流動層造粒機にて造粒する造粒方法及び造粒物の提供。【解決手段】造粒物に嵩比重の異なる粉体以外を先に混合した後、該粉体をバインダー溶液とともに噴霧し、分散することで嵩比重の異なる粉体について均一な粒度分布を有する造粒物を造粒する方法、及び得られた造粒物。バインダー溶液としては、プルラン、でん粉、ゼラチン、アラビアゴム等の公知のバインダー溶液を用いることが出来る。【選択図】なし【特許請求の範囲】
【請求項１】
嵩比重の異なる粉体を均一に流動層造粒することを特徴とする造粒方法。
【請求項２】
請求項１に記載の造粒方法により得られた造粒物。
【発明の詳細な説明】
【技術分野】
【０００１】
本発明は、嵩比重の異なる粉体を均一な粒度分布を有する造粒物を流動層造粒機にて造粒することを特徴とする造粒方法及び該造粒法により得られた造粒物に関する。
【背景技術】
【０００２】
流動層造粒において均一な粒度分布を有する造粒物を製造する方法としては、バインダーに用いる結合剤の種類、バインダーの噴霧量や流量、送風量、風圧や乾燥温度に関する様々な技術が開発されている。
しかし、この技術は、嵩比重が近似の値を有する成分での場合であり、嵩比重の異なる成分での場合は均一な粒度分布を有する造粒物を製造できないという問題点がある。また、造粒後に再度混合工程を経る方法もあるが煩雑さと時間とを要し、生産性に問題が生じる。
【特許文献１】特開平１１−３１３６５７号公報
【発明の開示】
【発明が解決しようとする課題】
【０００３】
従って、本発明の課題は、嵩比重の異なる粉体について均一な粒度分布を有する造粒物を流動層造粒機にて造粒することを特徴とする造粒方法を提供することにある。本発明の別の課題は、前記造粒方法により造粒された造粒物を提供することにある。
【課題を解決するための手段】
【０００４】
かかる課題を解決するため、本発明者らは、鋭意研究を重ねた結果、造粒物に嵩比重の異なる粉体以外を先に混合した後、該粉体をバインダー溶液とともに噴霧し、分散することで嵩比重の異なる粉体について均一な粒度分布を有する造粒物を造粒する方法を見出し、本発明を完成するに至った。また、本発明によれば、前記造粒方法により得られた造粒物が提供される。
【０００５】
バインダー溶液としては、プルラン、でん粉、ゼラチン、アラビアガム等の公知のバインダー溶液を用いることができる。
【発明の効果】
【０００６】
本発明によれば、粒度分布が均一な造粒物を流動層造粒機にて造粒する造粒方法及び、その造粒方法により造粒された造粒物が得られ、食品、医薬品、医薬部外品、化粧料等の製造に利用することができる。
【実施例】
【０００７】
以下、本発明の実施例及び比較例について説明する。なお、本発明は、これらに限定して解釈すべきではなく、特許請求の範囲における記載の範囲内で種々の変更が可能である。
【０００８】
（実施例）
水溶性食物繊維５４．４ｋｇ（商品名「パインファイバーＢｉ」、松谷化学工業(株)製）、麦芽糖３４．９６ｋｇ（商品名「サンマルトＳ」、(株)林原商事製）、煎茶末１１．９ｋｇ（(株)東洋新薬製）、砂糖８．５ｋｇ（商品名「グラニュ糖ＥＦ」、塩水港精糖(株)製）、カルシウム０．３４ｋｇ（商品名「コーラルカルシウムパウダー（ＣＣＰ−４４）」、マリーンバイオ(株)製）、スピルリナ１．７ｋｇ（商品名「スピルリナパウダーＭＳＧ」、大日本インキ化学工業(株)製）、ケール末５６．１ｋｇ（(株)東洋新薬製）をフローコーターＮＦＬＯ−２００型流動層造粒機（フロイント産業(株)製）に投入し、数分間気流で混合した。バインダー溶液（水）６０Ｌにイソフラボン２．１ｋｇ（商品名「フジフラボンＰ４０」、フジッコ(株)製）を分散させ混合しながら当該バインダー溶液を１分間に２０００ｍＬ噴霧することにより造粒した。得られた造粒物を３０メッシュの篩いにて篩別したものを定法に従い総アグリコン当量を測定した。
【０００９】
（比較例）
実施例と同様の水溶性食物繊維５４．４ｋｇ（商品名「パインファイバーＢｉ」、松谷化学工業(株)製）、麦芽糖３４．９６ｋｇ（商品名「サンマルトＳ」、(株)林原商事製）、煎茶末１１．９ｋｇ（(株)東洋新薬製）、砂糖８．５ｋｇ（商品名「グラニュ糖ＥＦ」、塩水港精糖(株)製）、カルシウム０．３４ｋｇ（商品名「コーラルカルシウムパウダー（ＣＣＰ−４４）」、マリーンバイオ(株)製）、スピルリナ１．７ｋｇ（商品名「スピルリナパウダーＭＳＧ」、大日本インキ化学工業(株)製）、ケール末５６．１ｋｇ（(株)東洋新薬製）及びイソフラボン２．１ｋｇ（商品名「フジフラボンＰ４０」、フジッコ(株)製）をフローコーターＮＦＬＯ−２００型流動層造粒機（フロイント産業(株)製）に投入し、数分間気流で混合した。バインダー溶液（水）３０Ｌを１分間に２０００ｍＬ噴霧することにより造粒した。得られた造粒物を３０メッシュの篩いにて篩別したものを定法に従い総アグリコン当量を測定した。
【表１】
2009034580.tif 000002
【００１０】
得られた造粒物は粗大粒もなく、粒度分布が均一であった。
【産業上の利用可能性】
【００１１】
本発明によれば、粒度分布が均一な造粒物を流動層造粒機にて造粒する造粒方法及び、その造粒方法により造粒された造粒物が得られ、食品、医薬品、医薬部外品、化粧料等の製造に利用することができる。
(57)【要約】【課題】廃石膏ボードを水洗浄する際、当該廃石膏ボードの洗浄が確実に行われているかを判断することができる方法を提供すること。【解決手段】廃石膏ボード粉末を水洗浄する際に、洗浄後の洗浄水の表面張力を監視しながら洗浄することを特徴とする廃石膏ボードの水洗浄方法を提供するものである。【選択図】なし【特許請求の範囲】
【請求項１】
廃石膏ボード粉末を水洗浄する際に、洗浄後の洗浄水の表面張力を監視しながら洗浄することを特徴とする廃石膏ボードの水洗浄方法。
【請求項２】
洗浄後の洗浄水の表面張力が、２０℃において、７２〜４０ｍＮ／ｍの範囲になるよう洗浄する請求項１記載の廃石膏ボードの水洗浄方法。
【請求項３】
洗浄後に得られる石膏を、セメントに配合して用いる請求項１又は２記載の廃石膏ボードの水洗浄方法。
【発明の詳細な説明】
【技術分野】
【０００１】
本発明は、廃石膏ボードを再利用する際に妨げとなる成分を、効率良く確実に除去することができる廃石膏ボードの水洗浄方法に関する。
【背景技術】
【０００２】
廃石膏ボードの有効利用を図るため、従来、廃石膏ボードは、表面の紙類を除去した後、粉砕して土壌改良剤などに使用されている。また、廃石膏ボードをセメントの石膏成分として使用することが検討されている。しかして、廃石膏ボードには、起泡剤として界面活性剤が含有されており、これをセメントに配合すると、強度発現に悪影響を及ぼすことが知られている。このため、セメントへの再利用の際に、水洗浄して界面活性剤を除去する方法が提案されている（特許文献１）。
【０００３】
しかしながら、廃石膏ボードに含有されている界面活性剤量は、廃ボードにより異なるため、界面活性剤を除去するために必要な洗浄回数や、水固体比等の洗浄方法を定めることは困難である。このため、洗浄後の石膏を用いてセメントを試製し、空気量や圧縮強度を測定して、洗浄が確実に行われているかを確認しなければならないという問題があった。
【特許文献１】特開２００２−２５５５９８号公報
【発明の開示】
【発明が解決しようとする課題】
【０００４】
従って、本発明の目的は、廃石膏ボードを水洗浄する際、当該廃石膏ボードの洗浄が確実に行われているかを判断することができる方法を提供することにある。
【課題を解決するための手段】
【０００５】
本発明者らは、斯かる実情に鑑み、鋭意検討した結果、廃石膏ボード粉末を水洗浄する際に、洗浄後の洗浄水の表面張力を監視しながら洗浄すれば、上記課題を解決できることを見出し、本発明を完成した。
【０００６】
すなわち、本発明は、廃石膏ボード粉末を水洗浄する際に、洗浄後の洗浄水の表面張力を監視しながら洗浄することを特徴とする廃石膏ボードの水洗浄方法を提供するものである。
【発明の効果】
【０００７】
本発明によれば、廃石膏ボードを水洗浄する際、当該廃石膏ボードの洗浄が確実に行われているかを判断したり、洗浄水を再利用できるかを判断することができる。
【発明を実施するための最良の形態】
【０００８】
本発明において、廃石膏ボードとは、建築物等に使用後の石膏ボードはもちろん、石膏ボードの製造工程において発生する端切れボード等、製品として使用されていない新しい石膏ボードをも含むものである。
【０００９】
本発明においては、廃石膏ボードを５mm以下に粗粉砕する。粉砕方法は特に制限されず、例えば、ロールクラッシャー、ジョークラッシャー等を用いることができる。この後、１〜２mmのふるいでふるい、そのふるい下を廃石膏ボード粉末とし、ふるい上をボールミル等の一般の粉砕機で粉砕する。
【００１０】
このような廃石膏ボード粉末を水洗浄する方法としては、特に制限されず、例えば、反応槽に仕込んだ水中で廃石膏ボード粉末を攪拌しながら洗浄するバッチ式洗浄方法；フィルタープレスに廃石膏ボード粉末を充填し、該充填層に一定方向により洗浄水を連続的又は断続的に通過せしめる機内洗浄を行う連続式洗浄方法などのいずれでも良い。
バッチ式洗浄方法の場合には、５秒〜３０分間程度攪拌するのが好ましい。
【００１１】
廃石膏ボード粉末に対する水の使用割合は、通常、０．５〜２０質量倍、特に１〜１５質量倍であるのが好ましい。
また、水洗浄の際の温度は、１０〜５０℃、特に１５〜４０℃であるのが好ましい。
【００１２】
本発明においては、上記のような水洗浄において、洗浄後の洗浄水の表面張力を測定する。洗浄水の一部を採取し、表面張力測定器を用いて、測定すれば良い。
【００１３】
本発明において、表面張力は、Ｗｉｌｈｅｌｍｙ法（プレート法）により、静的表面張力を測定する。
【００１４】
本発明においては、洗浄後の洗浄水の表面張力が２０℃において、７２〜４０ｍＮ／ｍ、特に７２〜５０ｍＮ／ｍの範囲になるよう、洗浄を行うのが好ましい。４０ｍＮ／ｍ未満では、洗浄が十分ではなく、再度洗浄する必要がある。また、７２ｍＮ／ｍは、水の標準的な表面張力であり、十分な洗浄が行われていることを示す。なお、洗浄水の表面張力が前記範囲になるようにするためには、洗浄を繰り返す、水を加える等を行えば良い。
【００１５】
十分な洗浄が行われたことが確認された洗浄後の廃石膏ボードは、そのまま又は乾燥して、セメントに配合し、セメントの石膏成分として使用することができる。
また、２０℃における表面張力が７２〜４０ｍＮ／ｍの範囲になった洗浄水は、再度、廃石膏ボードの洗浄に用いることができる。
【実施例】
【００１６】
次に、実施例を挙げて本発明をさらに詳細に説明するが、本発明はこれらに何ら制限されるものではない。
【００１７】
実施例１
（１）廃石膏ボード粉末の調製：
廃石膏ボードをロール式粉砕機にかけ、１．５mmのふるいを通ったものを試料とした。
【００１８】
（２）廃石膏ボード粉末の水洗浄：
試料１０００ｇを１Ｌの蒸留水中で３０分間攪拌し、吸引ろ過を行った。ろ液のうち、１００mLを採取し、表面張力測定用溶液とした。ろ過した試料を６０℃で乾燥し、１回洗浄試料を得た。次に、１回洗浄試料８００ｇを０．８Ｌの蒸留水中で３０分間攪拌し、吸引ろ過を行った。ろ液のうち、１００mLを採取し、表面張力測定用溶液とした。ろ過した試料を６０℃で乾燥し、２回洗浄試料を得た。
以下、同様にして、５回洗浄試料まで作製した。
【００１９】
（３）洗浄した石膏試料によるセメントの調製：
細粒のクリンカーに、洗浄した石膏試料を、ＳＯ3含有量２．５質量％となるよう加え、鉄球が入ったミルで粉砕し、ブレーン比表面積を３３００cm2／ｇに調整し、セメント試料とした。
【００２０】
（４）モルタルの空気量及び硬化モルタルの圧縮強度の測定：
ＪＩＳ  Ｒ５２０１に従ってモルタルを作製し、モルタルの空気量を測定した。また、このモルタルを型枠につめ、３、７及び２８日の水中養生による圧縮強度を測定した。結果を表１に示す。
【００２１】
（５）洗浄水の表面張力の測定：
Ｗｉｌｈｅｌｍｙ法による静的表面張力計（協和界面科学社製）を用い、２０℃において、表面張力測定用溶液の表面張力を測定した。結果を表１に示す。
【００２２】
【表１】
2009034573.tif 000002
【００２３】
モルタル空気量は、試薬石膏の場合を基準にして、±０．５％以内が合格である。また、圧縮強度は、試薬石膏の場合を基準にして、±５Ｎ／mm2以内が合格の基準である。
洗浄水の表面張力が４０ｍＮ／ｍ以上の場合には、圧縮強度の低下は認められなかった。
(57)【要約】      （修正有）【課題】漬物を出来るだけ安く、おいしく作るための器具を提供する。【解決手段】本器具のローラー３の部分が、作用点となりバネ２が力点となり、溝４が支点となる構造。この事によって、上ふた６が、キュウリ、茄子、白菜などの野菜をＭ字形のような力の伝わり方となって、上蓋と底ではさみ圧縮する。器具の大きさは冷蔵庫に入れることも可能なサイズである。【選択図】図２
2009034088.tif 000002
【特許請求の範囲】
【請求項１】
〔図面２の▲２▼〕バネが力点で〔図面２の▲４▼〕溝が支点と成り、〔図２の▲３▼〕が、作用点と成る構造。
【請求項２】
Ｍ字形のような力の伝わり方、上ふたと底〔図２の▲５▼〕ではさむ。
【請求項３】
ローラーと、上ふた〔図２の▲６▼〕ではさむ構造。
【請求項４】
バネによる圧縮。〔キューリ、ナスビ、白菜…他〕
【請求項５】
冷蔵庫にも入れる、大きさにすることが可能である。
【請求項６】
簡単に取りはずす事が出来る。
【請求項７】
〔図２の▲３▼〕ローラー部分にゴムを付ければなを良し。
【発明の詳細な説明】
【技術分野】
【０００１】本発明は、漬物を簡単に作る為に、バネの力を、利用して、おいしい漬物を作るようにしたものである、なを漬物は刻む様に作る。
【背景技術】
【０００２】従来は、簡単に漬物を作る器具は、無かった。
【発明が解決しょうとする課題】
【０００３】漬物を安く作るには、スーパーなどで、作った物を、買う為に高くつく。
【課題を解決するための手段】
【０００４】バネの力でローラー〔図２の▲３▼〕に力を伝えて〔図２の▲６▼〕上ふたが、漬物を圧縮する。その事によりくさりにくい。
【０００５】〔図２の３〕ローラー部分を、上げてから摘まみ〔上ふた図２の▲７▼〕を上げて漬物を出す。
【図１】
2009034088.tif 000003
【図２】
2009034088.tif 000004
【手続補正書】
【提出日】平成19年8月27日(2007.8.27)
【手続補正１】
【補正対象書類名】図面
【補正対象項目名】全図
【補正方法】変更
【補正の内容】
【図１】
2009034088.tif 000005
【図２】
2009034088.tif 000006
【手続補正書】
【提出日】平成19年10月15日(2007.10.15)
【手続補正１】
【補正対象書類名】明細書
【補正対象項目名】全文
【補正方法】変更
【補正の内容】
【発明の詳細な説明】
【技術分野】本発明は、漬物器具を、コンパクトに
2009034088.tif 000007
【図面の簡単な説明】
【図１】
2009034088.tif 000008
【図２】側面横から見た図  断面図プラスチックとステンレスから成る
【手続補正２】
【補正対象書類名】図面
【補正対象項目名】全図
【補正方法】変更
【補正の内容】
【図１】
2009034088.tif 000009
【図２】
2009034088.tif 000010
(57)【要約】【課題】従来の健康効果を有する高麗人蔘又は紅蔘の有効成分１００％入りの製品はなく、消費者は有効成分が数％しか入っていない加工されている商品を購入するが粗悪な製品を騙されて購入するしかなかった。これは高麗人蔘と紅蔘を煎じる過程が面倒で複雑であり、特別な容器も必要で又低温で長い時間を加熱しなければならないなど専門知識も必要である。【解決手段】健康効果を有する高麗人蔘又は紅蔘を消費者がその場で又はインターネット上の画像で直接選んだ材料を消費者の目の前で煎じる機械に入れて、この機械は特殊ガラスでできてあり、水蒸気を蒸発させながら最低２４時間から４８時間以上低温加熱してから抽出するため高温による有効成分を破壊することなく簡単で手軽に飲める有効成分１００％入りの信頼できるエキスや飲料製品を鮮度を維持した状態で消費者お届けすることができる。【選択図】図１
2009034084.tif 000002
【特許請求の範囲】
【請求項１】
健康効果を有する高麗人蔘又は紅蔘を原料として使用し、消費者がその場で又はインターネット上の画像で直接選んだ原料を消費者の目の前で高麗人蔘又は紅蔘の有効成分１００％入りのエキスや飲料を抽出できる特殊な機械に入れて煎じることで消費者と販売者の成分含有量の不信感をなくしてかつ、有効成分を損なうことなく、鮮度を維持した状態で濃厚で有効成分１００％入りの高麗人蔘又は紅蔘のエキスや飲料製品を直接消費者にお届けできるデリバリーサービス方法。
【発明の詳細な説明】
【技術分野】
【０００１】  本発明は、健康効果を有する高麗人蔘又は紅蔘の有効成分を損なうことなく、鮮度を維持した状態で濃厚で有効成分１００％入りの高麗人蔘又は紅蔘のエキスや飲料製品を直接消費者にお届けして手軽に飲めるためのデリバリーサービスに関する。
【背景技術】
【０００２】  従来の健康効果を有する高麗人蔘又は紅蔘の有効成分を取り入れるためには有効成分が数％しか入っていない加工されている商品がある。
【発明の開示】
【発明が解決しようとする課題】
【０００３】  以上に述べた従来の健康効果を有する高麗人蔘又は紅蔘の有効成分を取り入れるためには消費者は有効成分が数％しか入っていない加工されている商品を購入するか、又は有効成分が数％しか入っていない粗悪な製品を騙されて購入するか又は高麗人蔘と紅蔘の原料を購入しても専門的な知識がないため、煎じて飲んでいるエキスや飲料には有効成分が破壊されているので有効成分もなく鮮度が悪いエキスや飲料を飲むか専門的な知識を持っていても特別な容器が必要ですし、８５度の温度で最低２４時間〜４８時間以上も煎じた後に飲むような面倒な作業が必要であった。【０００４】  本発明は、このような従来の構成が有していた問題を解決しようとするものであり、消費者が健康効果を有する高麗人蔘又は紅蔘からの有効成分を損なうことなく、鮮度を維持した状態で濃厚で有効成分１００％入りの信頼できるエキスや飲料を手軽に飲めるためであり、有効成分１００％入りの信頼できる高麗人蔘又は紅蔘のエキスや飲料製品を消費者にお届けできることを実現することを目的とするものである。（ただしこのサービスは高麗人蔘又は紅蔘のエキスや飲料製品に限る。）
【課題を解決するための手段】
【０００５】  そして、本発明は上記目的を達成するために消費者がその場で直接選んだ高麗人蔘又は紅蔘を消費者の目の前で煎じる機械に入れ、この機械は特殊ガラスの容器でできてあり、水蒸気を蒸発させながら最低２４時間から４８時間以上加熱してから抽出するため有効成分を損なうことなく、鮮度を維持した状態で濃厚で信頼できるエキスや飲料製品を消費者にお届けするものである。
【発明の効果】
【０００６】  上述したように本発明の高麗人蔘又は紅蔘のエキス及び飲料のデリバリーサービスは消費者が専門知識がなくても安心して健康効果を有する高麗人蔘と紅蔘の高温による有効成分を破壊することなく、特別な容器も必要ではなく複雑で面倒な作業の問題を解決するとともに、消費者にはより簡単に鮮度を維持した状態で濃厚で有効成分１００％入りの信頼できるエキスや飲料製品を安心して簡単で手軽に飲めるサービスを提供できる。
【発明の実施するための最良の形態】
【０００７】  以下、本発明の実施の形態を図１、に基づいて説明する。
【図面の簡単な説明】
【０００８】
【図１】  健康効果を有する高麗人蔘又は紅蔘の有効成分１００％入りの信頼できるエキスや飲料製品を簡単に鮮度を維持した状態で濃厚で安心して簡単で手軽に飲めるデリバリーサービスまでの流れ図。
【図１】
2009034084.tif 000003
(57)【要約】【課題】食品であるのりを個人で手作業で文字にするのには時間とてまがかかる【解決手段】最初はメッセージを作りあげて例えば「だいすき」「がんばって」「ありがとう」「あいしてる」「げんきだして」「まけないで」など商品化してはどうかと思います。それらの市場の反応をみてのりぶみ図１  ひらがなの５０音やカタカナの文字をそろえてみる【選択図】図１
2009034087.tif 000002
【特許請求の範囲】
【請求項１】
食品ののりで作ったひらがな
あいうえお
かきくけこ
さしすせそ
たちつてと
なにぬねの
はひふへほ
まみむめも
やゆよ
わをん゛゜
【請求項２】
食品ののりで作ったカタカナ
アイウエオ
カキクケコ
サシスセソ
タチツテト
ナニヌネノ
ハヒフヘホ
マミムメモ
ヤユヨ
ワヲン
【請求項３】
食品ののりで作ったメッセージ
いつもありがとう
かんしゃしてる
ごめんね
がんばって
げんきだして
まけないで
ふぁいと
ごくろうさま
おつかれさま
だいすき
あいしてる
【発明の詳細な説明】
【技術分野】
【０００１】本発明はお弁当等ごはんの上にのりの言葉をはって伝える
【背景技術】
【０００２】従来は星やハート・動物・キャラクター等ののりはあったがもじののりはなかった。
【特許文献１】
【０００３】
【発明が解決しようとする課題】
【０００４】手作業で作るにはてまと時間がかかる
【課題を解決するための手段】
【０００５】今現在いろいろなのりがで始めているので企業にいたくをできないか
【発明の効果】
老若男女問わず子供でも誰にでも簡単にでき楽しめる。
携帯電話を今はほとんどの人が持っていますがメールの方がいいやすかったり気持ちを伝えやすいと思っている方も多いのではないかと思いまして、私自身５才の息子に育児等で手のかかる分主人とゆっくり会話をする時間もない時があり忙しい時等ついついそっけない返事をしてしまう時もありいつも家族のため一生懸命働いてくれる主人に心では感謝していてもなかなか直接言わなかったりそんな時毎日お弁当を作っていてあ〜のりで気持ちを伝えてみようとひらめき自分で「いつもありがとう」とのりを文字にしてごはんの上にはって作ってみたのですが主人もびっくりした様で手作業では時間とてまがかかりこんな商品を売っていれば時間の余裕のない時ものりをはるだけで十分気持ちはこもっているので毎日のお弁当に子供や主人に活用するのになと思って思いつきました。
【実施例】
【０００７】ハサミを活用しのりを型紙をあて切りとる
【図面の簡単な説明】
【０００８】
【図１】本発明の使用状態を示す正面図である。
【符号の説明】
【図１】
2009034087.tif 000003
【図２】
2009034087.tif 000004
【図３】
2009034087.tif 000005
【図４】
2009034087.tif 000006
【手続補正書】
【提出日】平成19年10月19日(2007.10.19)
【手続補正１】
【補正対象書類名】明細書
【補正対象項目名】０００８
【補正方法】変更
【補正の内容】
【０００８】
【図１】本発明の５０音のあからは行の食品ののりを形どった正面図である（ひらがな）
【図２】本発明の５０音のまからわ行とだく点とマルを食品ののりで形どった正面図である（ひらがな）
【図３】本発明のカタカナの５０音とだく点とマルを食品ののりで形どった正面図である
【図４】本発明のメッセージの文字を食品ののりで形どった正面図である
(57)【要約】【課題】水中の岩の割れ目や、石と石の間に隠れている水中のカニを捕まえるカニ捕り具を提供する。【解決手段】本体の棒（１）の先端に、ゴム（４）被せ、パイプ状の棒（５）を本体の棒（１）の先端に、左右平行に、固定して本体を形成し、この固定したパイプ状の棒（５）に、ロープ（３）を通し、先端に輪状を作り、ロープ（３）の基端に紐（２）と結び付け、紐（２）を手元で引く事で、締まり挟むことを特徴とする。【選択図】図１
2009034086.tif 000002
【特許請求の範囲】
【請求項１】
本体の棒（１）の先端に、ゴム（４）被せ、パイプ状の棒（５）を本体の棒（１）の先端に、左右平行に、固定して本体を形成し、この固定したパイプ状の棒（５）に、ロープ（３）を通し、先端に輪状を作り、ロープ（３）の基端に紐（２）と結び付け、紐（２）を手元で引く事で、締まり挟むことを特徴とするカニ捕り具。
【発明の詳細な説明】
【技術分野】
【０００１】この発明は水中の岩の割れ目や、石と石の間に隠れているカニを捕る道具に関するものである。
【背景技術】
【０００２】  従来からカニを捕るには、釣竿の先端に糸を結び、糸の先に餌をつけてカニを釣り上げる道具があった。（例えば、特許文献１参照）
【特許文献１】特開２００１−２４５５５４号公報
【発明の開示】
【発明が解決しようとする課題】
【０００３】  これには次のような欠点があった。
従来のカニ捕り具は、安全確保の為、釣り場を限定される。【０００４】従来の道具は、水の無い所にいるカニを捕るだけであり、水の中にいるカニは警戒心が強く水面上に釣り上げられる間際に、挟んでいた餌を離してしまうため、釣り上げることはほとんど出来なかった。【０００５】従来の釣り糸を使用するカニ捕り具は、風、波等の自然影響を受ける。
【課題を解決するための手段】
【０００６】上記の課題を解決するため、本体の棒（１）を収縮出来て、長さを固定できる棒に、する事で、岩場、波うちぎわ、堤防等の安全確保、また移動の便利性を高めた。【０００７】また、閉め挟むことにより、カニが餌を離しても捕まえることの出来る構成である。【０００８】また、釣り糸は、カニの近くに、仕掛けるのに、風、波等があり、技術を要したが、本体の棒（１）を収縮出来て、長さを固定できる棒にすることで、だれにでも出来る構成である。
【発明の効果】
【０００９】本発明は、以上のような構成だから、今まで捕まえることの難しかった数多くの種類が住んでいる水中のカニを釣り針も使わず、安全に子供でも簡単に捕まえることができる。
【発明を実施するための最良の形態】
【００１０】  実施の形態について図面を参照して説明すると、図１は本発明のカニ捕り具の斜視図であり、図２は正面の拡大図であり、図３は先端部分の拡大図である。本体の棒（１）の先端に、ゴム（４）被せ、パイプ状の棒（５）を本体の棒（１）の先端に、左右平行に、固定して本体を形成し、この固定したパイプ状の棒（５）に、ロープ（３）を通し、先端に輪状を作り、ロープ（３）の基端に紐（２）と結び付け、紐（２）を手元で引く事で、締まり挟む構成。【００１１】また、本体の棒（１）は、竹、樹脂性、非金属性、金属などの棒状が、考えられ、上記の素材に限定されず、長さがあり、頑丈な素材であればよい、しかし、本発明が能力を増大するには、長さ調整ができ固定する形が、最良の形態である。【００１２】また、パイプ状の棒（５）と本体の棒（１）を固定したいため、同等の素材が相応しいが、本体の棒（１）と固定出来れば、素材との兼ね合いも考慮してこの限りではない。【００１３】また、パイプ状の棒（５）は、無くても、増やしても形成出来るが、餌（６）を確実に固定したいためパイプ状の棒（５）を設けることで、より確実に固定できるため最良の形態である。【００１４】ロープ（３）は、輪状を維持したいため、ナイロンロープ（３）に限らず、樹脂性、非金属性、金属などの弾力があり、形状を維持でき、締め付けることのできる素材ならよい。【００１５】また、パイプ状の棒（５）に、通すロープ（３）は、１本とは、限らず複数と通してもよい。【００１６】また、紐（２）も安全に握れて、カニを押さえて置く力が伝わる素材ならば限定されない、しかし、ロープ（３）が全開している輪状からロープ（３）を締めるための紐（２）引きが本体の棒（１）の可能な長さを有している紐（２）の長さが必要である。【００１７】ゴム（４）は、ゴム（４）に限定されず、カニをロープ（３）で締め付けるため、カニの爪や足を傷つけないようなクッション性に優れ、防水性と滑り止めの効果のある素材がよい。【００１８】餌止め具（７）も、同様に、餌（６）が固定出来る紐、ロープ、樹脂性、非金属性、金属など、どのようなものでもよい。
【図面の簡単な説明】
【００１９】
【図１】本発明のカニ捕り具の斜視図
【図２】正面の拡大図
【図３】先端部分の拡大図
【符号の説明】
【００２０】  （１）    本体の棒
（２）    紐
（３）    ロープ
（４）    ゴム
（５）    パイプ状の棒
（６）    餌
（７）    餌止め具
（８）    パイプバンド
【図１】
2009034086.tif 000003
【図２】
2009034086.tif 000004
【図３】
2009034086.tif 000005
(57)【要約】【課題】  参考書や教科書などの本をめくる度にそのページで留まり、再びめくる際にページを留めている物を退かさずにめくれる、参考書押さえを提供する。【解決手段】  柱の上方に柱と柱を結ぶ回転軸とその回転軸から垂直に伸びる棒を設け、棒の片側に重りを設け、片側を軽くし、軽くしたほうを本押さえとし、本押さえを台と水平にするために重りを留める重り留めを設け、本の表紙をクリップで挟み、ページを本押さえの上から押しこむと本押さえが回転し、ページは本押さえの下に移り留めることができることを特徴とする参考書押さえ。【選択図】図５
2009034977.tif 000002
【特許請求の範囲】
【請求項１】
柱の上方に柱と柱を結ぶ回転軸とその回転軸から垂直に伸びる棒を設け、棒の片側に重りを設け、片側を軽くし、軽くしたほうを本押さえとし、本押さえを台と水平にするために重りを留める重り留めを設け、本の表紙をクリップで挟み、ページを本押さえの上から押しこむと本押さえが回転し、ページは本押さえの下に移り留めることができることを特徴とする参考書押さえ。
【発明の詳細な説明】
【技術分野】
【０００１】  本発明は参考書や教科書などの本をめくる度にそのページで留まり、再びめくる際にページを留めている物を退かさずにめくれる、参考書押さえに関するものである。
【背景技術】
【０００２】  従来、参考書のような本を見たいページで留めておく場合は手で押さえておくか、物などを置いて留めていた。手で押さえておく場合は、しばらく押さえておく必要があった。物などを置いていた場合は、ページをめくる度に一度物を退かしてページをめくり、また物を置きなおす必要があった。
【発明の開示】
【発明が解決しようとする課題】
【０００３】  そのために、次のような問題点があった。
（イ）手で本を押さえておく場合、片手がふさがり、勉強に集中できなかった。
（ロ）物などを置いて本を押さえておく場合、ページをめくる度に物を退かしたり置きなおしたりして気が散ってしまっていた。
本発明は以上の問題点を解決しようとするものである。
【課題を解決するための手段】
【０００４】  机に置ける平らな台の中央から垂直に２本の柱を平行に伸ばし、柱の各先端を繋ぎ、各柱の上方に柱と柱を結ぶ棒を設ける。その棒に垂直に棒を設け、片側を少しだけ重くしておく。垂直に伸びた棒の重い側にはそれを留めておくための留め具を柱と柱の間に設ける。平らな台の中央にクリップを設ける。このときクリップの挟む側を垂直に伸びた棒の軽い側の指す方に向ける。この構成からなる物を各４つ設ける。参考書の見たいページを開き、本の片側の表紙の上下にそれぞれクリップを挟む。反対側の表紙の上下にもクリップを挟む。両側のページが垂直に伸びた棒の軽い側に押さえられ、開いたまま留まる。垂直に伸びた棒は、柱と柱を結ぶ棒を支点に回転するため、めくるときに邪魔にならず、垂直に伸びた棒の重い側が留め具によって留まるため、ページのはねもどりにも対応できる。以上を特徴とする参考書押さえである。
【発明の効果】
【０００５】本発明は、一度本に取り付ければ簡単に本を見開きの状態にし、めくる際にも簡単にめくれ、再び見たいページで見開きの状態を維持できる。
【発明を実施するための最良の形態】
【０００６】以下、本発明の実施の形態を説明する。
（イ）机の上に置ける平らな台（６）にその中央から垂直に伸びる２本の柱（４）を設け、柱（４）の各先端を繋ぐ。
（ロ）各柱（４）の上方に回転軸（２）となる棒を伸ばし回転軸（２）となる棒からは垂直な棒を回転軸（２）と十字になるように設ける。
（ハ）垂直な棒の片側には重り（３）を設ける。
（ニ）垂直な棒が台（６）と水平になるように重り留め（７）を設ける。
（ホ）垂直な棒の軽い側が本（８）の跳ね返りを押さえる本押さえ（１）となる。
（ヘ）台（６）の中央にクリップ（５）を設け、クリップ（５）の挟む側は本押さえ（１）の指す方向を向いている。
（ト）上記の物を４つ設ける。
本発明は以上の構成よりなっている。
本発明を使用するときは、本（８）の見たいページを開いた状態にし、本（８）の片側の表紙の上下にそれぞれクリップ（５）を挟む。本（８）のもう一方の側の表紙の上下にもそれぞれクリップ（５）を挟む。本（８）は見たいページで本押さえ（１）に押さえられる。ページをめくるときは左側のページは本押さえ（１）の下をくぐらせるだけでめくることが出来る。左側のページを右側に移すにはページを本押さえ（１）の上から押しこむだけで本押さえ（１）が回転軸（２）により回転しページは本押さえ（１）の下に移り留まる。
【図面の簡単な説明】
【０００７】
【図１】本発明の斜視図
【図２】本発明の使用状態を示す斜視図
【図３】本発明の使用状態を示す斜視図
【図４】本発明の使用状態を示す斜視図
【図５】本発明の使用状態を示す斜視図
【符号の説明】
【０００８】１  本押さえ
２  回転軸
３  重り
４  柱
５  クリップ
６  台
７  重り留め
８  本
９  手
【図１】
2009034977.tif 000003
【図２】
2009034977.tif 000004
【図３】
2009034977.tif 000005
【図４】
2009034977.tif 000006
【図５】
2009034977.tif 000007
(57)【要約】【課題】  短時間で人手を掛けずに絵（または写真）を貼りかえる画板を提供する。【解決手段】あらかじめ多数の絵（または写真）を重ねて貼り付けておき、絵（または写真）を換えたい時に、上から順にはがせば、新しい絵（または写真）が次々に出てくる画板を作った。【選択図】図１
2009034975.tif 000002
【特許請求の範囲】
【請求項１】
絵や写真をあらかじめ重ね貼りしておき、はがせば、次々に新しい絵や写真が出てくるボードを提供する。季節の変わり目等にはがせば、簡単に次の季節の絵や写真が出てくるので、個人観賞用の他、小売店店舗やレジャー施設等の装飾用としても利用できる。
【発明の詳細な説明】
【技術分野】
【０００１】本発明は、絵（または写真）をはがせば、次の新しい絵（または写真）が出てくる画板である。
【背景技術】
【０００２】（イ）絵（または写真）を換える時、額の中身を入れ替えていた。
（ロ）絵（または写真）を換える時、一度、撤去してから、新しい物を設置していた。
【発明の開示】
【発明が解決しようとする課題】
【０００３】そのために次のような問題点があった。
（イ）額を一度はずし、中身の絵を取り替えていた為、人手と時間が掛かっていた
（ロ）絵を撤去してから、新しい絵を取り付けていたので、人手と時間が掛かっていた
本発明は、これらの問題点を解決するためになされたものである。
【議題を解決する為の手段】
【０００４】あらかじめ多数の絵（または写真）を重ねて貼り付けておき、絵（または写真）を換えたい時に、上から順にはがせば、次々に新しい絵（または写真）が出てくる画板を作った。
【発明の効果】
【０００５】上の絵（または写真）をはがす事により、簡単に次の絵（または写真）が出てくるので、極めて簡単に絵（または写真）を換えることが出来る。
【発明を実施するための最良の形態】
【０００６】以下、本発明の実施の形態について説明する。
ボード１に、２〜５の絵（または写真）をあらかじめ、重ねて貼っておく。模様替えをしたい時に、上から順にはがせば、次の新しい絵（または写真）が出てくる。
例えば、季節の絵（または写真）をあらかじめ、四季の順に重ねて貼っておけば、季節の変わり目にはがす事により、次の絵が現れ、簡単に季節感を演出することができる。
【図面の簡単な説明】
【０００７】
【図１】本発明の正面図
【図２】本発明の側面図
【符号の説明】
【０００８】１、ボード
２、絵（もしくは写真）▲１▼
３、絵（もしくは写真）▲２▼
４、絵（もしくは写真）▲３▼
５、絵（もしくは写真）▲４▼
【図１】
2009034975.tif 000003
【図２】
2009034975.tif 000004
(57)【要約】【課題】  台所又は厨房で火の使用中に、災害（特に地震）又は人的ミスによって起きる火災をスプリンクーラーや粉末消火器は火が飛び散り災害や人的ミスには十分に発揮し難い。【解決手段】  台所又は厨房で火の使用中に、災害（特に地震）又は人的ミスによって起きる火災の源の火元を、地震又は火熱を察知しエアーマットで覆い火を消す。【選択図】  図１
2009034419.tif 000002
【特許請求の範囲】
【請求項１】
緊急時消火エアーマットとは、火の熱監視センサーが反応して、車のエアーバックの原理を改良した方法により、台所又は厨房の火を消火する器具。
【請求項２】
緊急時消火エアーマットは、車が衝突時に作動するエアーバックのように、台所又は厨房で火の使用中に（通常は格納されて、台所又は厨房の火元のすぐ近くに設置）地震などの災害時、又は、火の消忘れなどの人為的ミスによって起きる火災を、マットの熱監視センサーが反応し、瞬時にエアーマットが作動し、火災の源の火元を覆い、消火する消化液染込みエアーマット。
【請求項３】
緊急時消火エアーマットは、台所又は厨房での火元の近くの換気扇の所、又は、換気扇の近くの壁で、エアーマットの作動範囲内で、換気の邪魔にならないところに取り付ける。
【請求項４】
緊急時消火エアーマットは、熱監視センサーを振動時により、熱が急激に上がるか、又は、火の消忘れなどの人為的ミスで、熱が急激に上がることを感知する熱監視センサーにして、作動させることも出来る。
【請求項５】
緊急時消火エアーマットは、熱監視センサーの働きを、振動幅と衝撃震にセットして作動させることも出来る。
【請求項６】
緊急時消火エアーマットは、設置場所と火元関係によっては、場所ごとにマットの形状と、エアーホースを変えることも出来る。
【請求項７】
緊急時消火エアーマットは、設置場所と火元関係によっては、作動時、開くのにスムーズにする為、特殊な穴をあける。無論火は通さない穴である。
【発明の詳細な説明】
【技術分野】
【０００１】
本発明は、自動的に火を消し、火事を未然に防ぐ消火器である。
【背景技術】
【０００２】
車のエアーバックを参考にした。
【発明の開示】
【発明が解決しようとする課題】
【０００３】
台所又は厨房で火の使用中に、災害時（特に地震）又は人的ミス（特に火の消し忘れ）によって起きる火災をスプリンクーラーや、粉末消火器は火が飛び散り、災害や人的ミスには十分に発揮し難い。
【課題を解決するための手段】
【０００４】
台所又は厨房で火の使用中に、災害時又は人的ミスによって起きる火災の源の火元を、地震又は火熱を察知しエアーマットで覆い火を消す。
【発明の効果】
【０００５】
台所又は厨房で火の使用中に、災害又は人的ミスによって起きる火災の源の火元を、地震又は火熱を察知する、又、消化液のみの消火器を用いた場合、油のような飛び散る火があり火災になりやすいが、マットで覆うことにより火を消火できる確率が、格段に上がる。
【発明を実施するための最良の形態】
【０００６】
実施及び実験の結果火元の上方で１ｍから2ｍぐらいの設置が最良。
【実施例】
【０００７】
私自身が使用している。
【産業上の利用可能性】
【０００８】
各家庭の台所、業務用厨房、の火元に利用可能。
【図面の簡単な説明】
【０００９】
【図１】緊急時消火エアーマットの断面が簡潔明瞭に解るように、壁掛け式緊急時消火エアーマットが作動した状態を表した図である。
【符号の説明】
【００１０】
イ  収納カバー
ロ  エアー誘導マット
ハ  消化液染込みエアーマット
二  エアーホース
ホ  熱監視センサー
ヘ  エアー誘導ホース
ト  ガスコンロ
チ  エアーポンプ
【図１】
2009034419.tif 000003
(57)【要約】      （修正有）【課題】継続して使用しても副作用のない〔５０肩治療補助布〕を提供します。【解決手段】局所を暖めるのではなく肩全体を暖め血流を促進して自然治癒力を高め副作用もなく治癒まで長期間使用でき、使用方法は人の営みの就寝時を利用、使用に苦痛のない布です。布を安定使用するため上布団にボタン穴をボタン止めします、首を１０ｃｍの切り込みから首周り寸法の円形の切り取り穴へ入れ布を枕の内側へ垂らします。体温や布団内の暖気を防御し最大限利用します。布団の収納時や使用しないとき布そのままでは不都合の極みです。布を二つ折にしますと襟布がわりになります。布上部凸フォックと布下部凹フヲックで固定すると問題は解決します。このような簡便な布です。【選択図】なし【特許請求の範囲】
【請求項１】
長方形の布「６５ｃｍ×１３０ｃｍ」に
イ、布上部に９箇所のボタン穴
ロ、布下部中央に長さ１０ｃｍの切り込み
ハ、ロの切り込み上部に接し首周り寸法の円形の穴
ニ、布上部４箇所に凸ホック
ホ、布下部４箇所に凹ホック
を設けた５０肩治療補助布
【発明の詳細な説明】
【技術分野】
【０００１】５０肩の治療は書物に温湿布が有効と書いてあります
この観点で長方形の布を上布団に取り付け就寝中体温を利用肩及び肩関節を暖める布
５０肩治療補助布に関するものです
【背景技術】
【０００２】従来の治療は鎮痛薬、湿布、入浴、（温感）鎮痛消炎シツプ剤、（冷感）鎮痛消炎シッブ剤
【発明の開示】
【発明が解決しようとする課題】
【０００３】この治療方法は、次のような欠点があった。
医師の著書より抜粋『肩関節周囲炎』いわゆる５０肩がこれです。肩の関節をとりまく組織は、加齢にともなってなめらかさを失います。中略。関節のクッションともいうべき滑膜や軟骨が老化し、動きづらくなったところへ、重労働や使い過ぎなど、何らかの余分なストレスが加わることで炎症が起きることが原因だろうと考えられています。
５０肩というのは、その炎症が男女ともに５０歳前後で起こりやすくなることからつけられた名前です。
痛みのひどいときには、上腕を上げることもできず、着替えにもひと苦労といったように、日常生活にも支障を来たします。ほっておいても１年くらい経てば痛みがなくなるといわれていますが、やはり早々にとり除きたい痛みであることに変わりはありません。
痛みは、除々に増してくるパターンや、あるとき突然にギクっとした痛みを覚えるというバターンがあります。いずれにしても痛みのために肩を動かさないようにしていては、かえって関節が滑りにくくなるので、逆効果。スポーツなどで痛めた場合とは反対に、早い時期から少しずつ無理のない程度に動かす努力が必要です。
治療としては、湿布やタオル、入浴やホットバックなどで温める方法が一般的でしょう。血流がよくなり痛み物質が持ち去られるので、ある程度の効果はあると思います。抜粋終り………
医術で積極治療方法もなく湿布で治療、病状の改善に努めるのが現実です。
湿布には難点もあります。患部に鎮痛消炎シップ剤を毎日連続して貼りますと皮膚に異状がでます。
薬剤の注意書『皮膚に発疹、発赤、かゆみ、かぶれ、色素沈着、５〜６日間使用しても症状がよくならない場合』医師又は薬剤師にご相談ください。
【課題を解決するための手段】
【０００４】夜就寝時を利用し体温や電気毛布の暖気を利用する方法です。
長方形６５ｃｍ×１３０ｃｍの布（１）布上部９箇所にボタン穴（２）布下部中央に枕の高さ相当１０ｃｍの切り込み（３）切り込み（３）に接し首周り寸法の円形の切り取り穴（４）収納に使うため布上部４筒所に凸フォック（５）収納に使うため布下部４箇所に凹ホォック（６）
本発明は以上の構成による５０肩治療補助布であります。
【発明の効果】
【０００５】長方形の布（１）を夜具上布団に（２）をボタンで取り付け（３）の切り込みから首を（４）の円形の穴に首をいれ、布を枕の内側に垂らします。このとき布の下部が敷布団に接し布団内の暖気が流失するのを最少限に防御します。
暖房中室温が高く布を使はないとき、布を二つ折りにし凹凸フォック４箇所で止め布団の襟布として使います。
申請者本人が２年間使用実験した結果長年の肩間接痛の消失と長年困っていた肩凝りも解消しました。
その他で加齢に伴い筋肉の強張りの解消。上布団を少し薄くする効果や電気毛布、電気敷毛布の温度調節を０．５〜１度ｃ位低くできることが判明しました。
【発明を実施するための最良の形態】
【０００６】保温を考えるとキルト布、毛布でしょうが保温と合わせて考えなければならないのが、首周りの汗疹対策です。吸湿が高く膚にやさしい綿布が汗疹予防に最良の布地です。布の厚みは綿タオル位の厚みでないと使用するとき不快感があることが判明其故薄手の綿布が最良です。
この発明の重要な点は自然な状態で無理なく就寝時間を利用治療の補助ができること、布単体で使うと安定性がないので寝具へボタンで取り付け安定させます、ボタン穴９箇所は布団に固定したとき顎がボタンに接しないよう配列し使用ボタンを最少限にした配置です。
布に首周り寸法（カラ−サイズ）の円形の穴は個々に適合したカラ−サイズで作れば最善の結果がえられます。１０ｃｍの切り込みは首より下の保温に配慮した切り込みです。この切り込みと円形の穴は体温及び布団内の暖気が寝室へ流失するのを遮断防御するための最善の形です。
凹、凸フォックは使用しないとき布を二つ折にしホォック止めし襟布代わりにします。又布団収納時に必要なフォックです。
【図面の簡単な説明】
【０００７】正面図
【符号の説明】
【０００８】１                  布
２−１〜２−９      ボタン穴９箇所
３                  １０ｃｍの切り込み
４                  首周り寸法の円形の穴
５−１〜５−４      凸フォック４箇所
６−１〜６−４      凹フォック４箇所
2009034471.tif 000002
(57)【要約】      （修正有）【課題】方向転換や幅寄せを行うとき、きりかえし操作による余分なスペースを必要としない電動車椅子の提供。【解決手段】回転数および回転方向が別々に制御できるモータ１２、減速機１４、車輪１０のＡユニットと、モータ１３、減速機１５、車輪１１のＢユニットとが連結ピン１８で操舵軸１９に連結されている。通常時はＡＢ両ユニットの回転数および回転方向の差で従来の電動車椅子と同様に走行でき、停止時には車輪Ａと車輪Ｂの回転方向を逆にすることでその場回転ができる。横方向への移動も可能である。【選択図】図７
2009034474.tif 000002
【特許請求の範囲】
【請求項１】
同軸上の両端にそれぞれ別のモーターで回転する車輪を備えその軸の中央を操舵軸とする軸を設けることにより前記モーターの回転数及び回転方向をそれぞれ別々に制御することで操舵角を得る事を特徴とする操舵装置
【発明の詳細な説明】
【技術分野】
【０００１】  本発明は前後左右方向自在に走行出来る車椅子に関する。【０００２】  従来の電動車椅子は左右にそれぞれ別々に回転方向と回転数のみ制御出来る動力輪で進行方向を制御している。【０００３】  以下、図１、図２、図３により従来の電動車椅子の動作について説明する。図１において、１は左動力輪で、２は右動力輪、自在車輪３・４と左右動力輪の回転数と回転方向を指示するジョイスティック５を有している。
【発明の開示】
【発明が解決しようとする課題】
【０００４】  以上のように従来の電動車椅子では図２、図３の様に方向変換及び幅寄せするのに車椅子の周囲に余分なスペースを必要とする。【０００５】  本発明は、上記の様なスペースを必要としない図４、図５のような動きの出来る電動車椅子を構成するものである。【０００６】  そして、本発明は上記目的を達成するために従来の車椅子では操舵軸を持たない駆動輪に操舵軸を設けて図６の様な走行を可能としてその場から少ないスペースで次の姿勢をとる事を可能にすることが出来る。
【発明の効果】
【０００７】  上記の様に狭いスペースで姿勢を制御出来るためエレベーター内のような限られたスペースで幅寄せなどの移動が容易に出来る電動車椅子を提供できる。【０００８】  また、以下に説明する形態で操舵するために操舵のための機構を持たず上記の動作を達成することが出来る。
【発明を実施するための最良の形態】
【０００９】  以下、本発明の実施の形態を図７〜図９に基づいて説明する。【００１０】  図７においては、モーターＡの１２と減速機Ａの１４で駆動する車輪Ａ１０とモーターＢ１３と減速機Ｂ１５で駆動する車輪Ｂ１１が同軸の両端に有し、その軸の中心から垂直に連結ピン１８でつながった操舵軸１９と操舵軸を支える軸受け１６で構成されたユニットを示します。【００１１】  また、軸受けには、操舵軸の操舵角度を検出する角度検出器１７を有している。【００１２】  ユニットは図８の様に停止中においては車輪Ａと車輪Ｂの回転方向を逆にすることで操舵して走行中においては車輪Ａと車輪Ｂの回転数の差で操舵する。【００１３】  本発明の車椅子のフレームには、図９に示すように上記ユニット２２・２３と自在車輪２０・２１及び、方向を指示する方向指示装置２４と速度指示器と動作モード切替器２５及び、制御用コンピュータとバッテリーなどで構成されている。【００１４】  以下、上記構成の動作を説明する。動作モード１においては、方向指示装置から出された指示に従いモーター１とモーター２の回転数及び回転方向の差で操舵軸を中心に操舵角検出器が方向指示と同じ角度になるように制御し速度指示器から出された回転数でそれぞれのユニットの車輪を駆動して図５の走行を可能とする。動作モード２においては、操舵角度を常に０度となるように前記方法で制御して速度指示器から出された速度指示に対して方向指示装置から出された指示で右側ユニットと左側ユニットの回転数及びユニット単位での回転方向の差で走行方向を制御する従来の電動車椅子と同じ走行を行う。動作モード３においては、図４のように左右のユニットの操舵角を車椅子の最小回転軸に対してそれぞれ常に直角の位置に前記方法で制御して方向指示装置から出された方向に両ユニットの車輪の回転数と回転方向で駆動することで最小回転半径での、その場回転を可能とする。
【図面の簡単な説明】
【００１４】
【図１】  従来の車椅子の構造
【図２】  従来の車椅子のその場回転する為のスペース
【図３】  従来の車椅子の幅寄せする為のスペース
【図４】  本発明の車椅子のその場回転する為のスペース（動作モード３）
【図５】  本発明の車椅子の幅寄せする為のスペース（動作モード１）
【図６】  本発明の車椅子がその場から動ける方向
【図７】  本発明の実施形態を示すユニットの構成図
【図８】  本発明のユニットを上から見た図
【図９】  本発明のユニットを装着した車椅子を上から見た図
【図１】
2009034474.tif 000003
【図２】
2009034474.tif 000004
【図３】
2009034474.tif 000005
【図４】
2009034474.tif 000006
【図５】
2009034474.tif 000007
【図６】
2009034474.tif 000008
【図７】
2009034474.tif 000009
【図８】
2009034474.tif 000010
【図９】
2009034474.tif 000011